(57)【要約】【課題】施工性とメンテナンス性の向上を可能にする換気用スリーブを提供することを目的とする。【解決手段】室内側と室外側とを連通する換気経路を形成し、建物の壁１に施工される換気スリーブ２において、一端にフランジ部３ａを設けた筒状のスリーブ部３と、前記スリーブ部３に嵌挿される第二フランジ４で構成され、前記スリーブ部３は、その外周面に外側に向かって突出させた軸方向に垂直かつ規則的に配列した複数の凸部３ｂを有し、前記第二フランジ４は、前記スリーブ部の凸部３ｂと係合する内側に向かって突出させた凸部４ａを有する構成とする。【選択図】図１
2012102964.tif 000002
【特許請求の範囲】
【請求項１】
室内側と室外側とを連通する換気経路を形成し、建物の壁に施工される換気用スリーブにおいて、一端にフランジ部を設けた筒状のスリーブ部と、前記スリーブ部に嵌挿される第二フランジで構成され、前記スリーブ部は、その外周面に外側に向かって突出させた軸方向に垂直かつ規則的に配列した複数の凸部を有し、前記第二フランジは、前記スリーブ部と係合する筒部を有し、その内面に前記スリーブ部の凸部と係合する内側に向かって突出させた凸部を有することを特徴とした換気用スリーブ。
【請求項２】
スリーブ部および第二フランジに設けた凸部を軸方向に対して傾斜を設けて配列したことを特徴とした請求項１に記載の換気用スリーブ。
【請求項３】
スリーブ部のフランジ部に防水パッキンを設けたことを特徴とする請求項１または２に記載の換気用スリーブ。
【請求項４】
第二フランジにスリーブ部との係合位置決め構造を設けたことを特徴とした請求項１〜３のいずれか１つに記載の換気用スリーブ。
【請求項５】
スリーブ部または第二フランジの凸部端部を配列された凸部の間隔よりも広く形成したことを特徴とした請求項１〜４のいずれか１つに記載の換気用スリーブ。
【請求項６】
スリーブ部が樹脂製であることを特徴とした請求項１〜５のいずれか１つに記載の換気用スリーブ。
【発明の詳細な説明】
【技術分野】
【０００１】
本発明は、室内側と室外側とを連通する換気経路を形成し、建物の壁に施工される換気用スリーブに関する。
【背景技術】
【０００２】
従来の換気用スリーブは、図８に示すように、特許文献１に記載の防湿シートを備える建物外壁を貫通して通気孔を形成するための通気パイプ１０１であって、パイプ１０２にフランジ部１０３を気密に固定支持し、屋内に配設される防湿シート１０４とパイプ１０２周面との間の気密を保つフランジ部１０３を備えた構成とし、フランジ部１０３を柱等に固定して設置される。
【０００３】
また、パイプ１０２に気密ラバー１０５を通してラバー周縁部に気密テープを貼って壁面ボード１０６の表面に配設される防湿シート１０７の気密を保っている。
【０００４】
また、図９に示すように、一般的な構造として、通気パイプ１０１により外壁を貫通する通気孔を形成する場合、外壁１０８の開口部と通気パイプ１０１との隙間にはコーキング１０９が施され、防水処理がされている。
【先行技術文献】
【特許文献】
【０００５】
【特許文献１】特開平９−１７７２９９号公報
【発明の概要】
【発明が解決しようとする課題】
【０００６】
このような従来の換気用スリーブでは、換気パイプが柱に固定されるため、設置位置については躯体の制約を受けるために建築設計の自由度を狭めるという課題がある。
また、パイプとフランジとが固定されているため、パイプ破損など不慮のメンテナンス時にパイプを取り外すことができないという課題がある。
【０００７】
また、外壁とパイプとの防水コーキングにおいては、円環上の空隙にコーキングを充填しなくてはならないため、作業が難しく、施工品質にバラツキが生じ易いという課題がある。
【０００８】
さらに、コーキングが乾燥するまでは他の作業が行えないため作業効率が悪く、コーキングの経年変化によって、防水効果を損なってしまうという課題もある。
【０００９】
本発明は、このような従来の課題を解決するものであり、施工性とメンテナンス性の向上を可能にする換気用スリーブを提供することを目的とする。
【課題を解決するための手段】
【００１０】
本発明の換気用スリーブは、上記目的を達成するために、室内側と室外側とを連通する換気経路を形成し、建物の壁に施工される換気用スリーブにおいて、一端にフランジ部を設けた筒状のスリーブ部と、前記スリーブ部に嵌挿される第二フランジで構成され、前記スリーブ部は、その外周面に外側に向かって突出させた軸方向に垂直かつ規則的に配列した複数の凸部を有し、前記第二フランジは、前記スリーブ部と係合する筒部を有し、その内面に前記スリーブ部の凸部と係合する内側に向かって突出させた凸部を有する構成としたものである。
【００１１】
また、他の手段は、スリーブ部および第二フランジに設けた凸部を軸方向に対して傾斜を設けて配列したものである。
【００１２】
また、他の手段は、スリーブ部のフランジ部に防水パッキンを設けたものである。
【００１３】
また、他の手段は、第二フランジにスリーブ部との係合位置決め構造を設けたものである。
【００１４】
また、他の手段は、スリーブ部または第二フランジの凸部端部を配列された凸部の間隔よりも広く形成したものである。
【００１５】
また、他の手段は、スリーブ部および第二フランジが樹脂製であるものである。
【発明の効果】
【００１６】
本発明によれば、室内側と室外側とを連通する換気経路を形成し、建物の壁に施工される換気用スリーブにおいて、一端にフランジ部を設けた筒状のスリーブ部と、前記スリーブ部に嵌挿される第二フランジで構成され、前記スリーブ部は、その外周面に外側に向かって突出させた軸方向に垂直かつ規則的に配列した複数の凸部を有し、前記第二フランジは、前記スリーブ部と係合する筒部を有し、その内面に前記スリーブ部の凸部と係合する内側に向かって突出させた凸部を有する構成としたことにより、壁内に設置された第二フランジに対して屋外側から筒状のスリーブ部を凸部同士が干渉しない位置で壁面まで挿入した後、回転させることで互いの凸部が係合してスリーブ部と第二フランジとを容易に固定することができ、施工性を向上するという効果がある。
【図面の簡単な説明】
【００１７】
【図１】本発明の実施の形態１の換気用スリーブの設置状態を示す断面図
【図２】同換気用スリーブのスリーブ部を示す外形図
【図３】同換気用スリーブの第二フランジを示す断面図
【図４】同換気用スリーブの固定方法を示す斜視図
【図５】同換気用スリーブのスリーブ部を示す外形図
【図６】同換気用スリーブの第二フランジを示す外形図
【図７】同換気用スリーブのスリーブ外周の凸部を示す拡大図
【図８】従来の換気用スリーブの構成を示す斜視図
【図９】従来の一般的な換気用スリーブの構成を示す断面図
【発明を実施するための形態】
【００１８】
以下、本発明の実施の形態について、図面を参照しながら説明する。
【００１９】
（実施の形態１）
図１〜図４に示すように、室内側と室外側とを連通する換気経路を形成し、建物の壁１に施工される換気スリーブ２において、一端にフランジ部３ａを設けた筒状のスリーブ部３と、前記スリーブ部３に嵌挿される第二フランジ４で構成され、前記スリーブ部３は、その外周面に外側に向かって突出させた軸方向に垂直かつ規則的に配列した複数の凸部３ｂを有し、前記第二フランジ４は、前記スリーブ部の凸部３ｂと係合する内側に向かって突出させた凸部４ａを有している。
【００２０】
また、壁１は屋内側から内壁１ａ、防湿シート１ｂ、断熱パネル１ｃ、胴縁１ｄ、外壁１ｅで構成されている。
【００２１】
上記の構成において、換気スリーブ２の固定は最初に換気スリーブ２の設置位置に開孔した断熱パネル１ｃに、同じく開孔した防湿シート１ｂを挟み込んで第二フランジ４を固定し、その周囲を気密テープ５で貼る。
【００２２】
第二フランジ４の形状は、四角形状とし、その形状は特に制約されるものではないが、本実施例のように四角形状にする方が直線的に４ヶ所を気密テープ５で貼るだけの容易な作業となるため望ましい。
【００２３】
防湿シート１ｂは屋内外の湿気の移動を防ぐ目的で壁１内に配設されるため、換気スリーブ２を設置する開孔部についても気密を確保する必要性がある。
【００２４】
続いて、断熱パネル１ｃから屋外側に向かって、胴縁１ｄ、外壁１ｅの順に配設され、壁１が仕上がったのちに屋外側から換気スリーブ２のフランジ部３ａが外壁１ｅの面に当接するところまでスリーブ部３を挿入し、回転させて壁１に固定することでフランジ部３ａが外壁１ｅの面に当接するため、コーキング処理をしなくても防水性を確保することができるとともに、コーキング処理を不要とできるため省施工化することができる。
【００２５】
換気スリーブ２を壁１に固定する手順は、次のとおりである。スリーブ部３と第二フランジ４の固定はスリーブ部３を第二フランジ４に挿入しても凸部４ａと凸部３ｂとが接触しない位置に合わせ（手順１）、スリーブ部３のフランジ部３ａが外壁１ｅと当接する位置までスリーブ部３を挿入し（手順２）、軸方向に回転させることにより凸部３ｂと凸部４ａが係合される（手順３および手順４）。
【００２６】
また、図５に示すように、スリーブ部３および第二フランジ４の筒部４ｆに設けた凸部３ｂと４ａをその先端を屋外側に傾斜するように軸方向に対して傾斜を設けて配列することにより、スリーブ部の凸部と第二フランジの凸部を係合する過程で、スリーブ部３を回転させたとき、固定された第二フランジ４の凸部４ａの傾斜に沿ってスリーブ部３の凸部３ｂが係合されることにより、躯体に固定されていないスリーブ部３は屋内側へ引き寄せられながら係合することになり、スリーブ部３のフランジ部３ａは外壁１ｅに圧接されるため、外壁開口部の防水性を向上させることができる。
【００２７】
また、スリーブ部３のフランジ部３ａの接合面の周縁に防水パッキン６を設けることにより、外壁１ｅに凹凸がある場合であっても、スリーブ部３に設けたフランジ部３ａと外壁１ｅとの隙間を圧接されて埋めるため、防水性をさらに向上させることができる。
【００２８】
また、図６に示すように、第二フランジ４にスリーブ部３との位置決め構造４ｂを設ける。この位置決め構造４ｂは、第二フランジ４の筒部４ｆの内面部に凸部３ｂに略垂直方向にリブ４Ｌを設ける。これにより、スリーブ部３を回転していき、凸部３ｂが位置決め構造４ｂと当接したところで、スリーブ部３はそれ以上回転できなくなるため、スリーブ部３の回転できる範囲を限定することで確実にスリーブ部３と第二フランジ４との固定強度を確保できる位置で凸部３ｂと４ａとを係合させ、安定した施工品質を確保することができる。
【００２９】
また、図７に示すように、スリーブ部３の凸部３ｂまたは第二フランジ４の凸部４ａの端部を凸部の間隔４ｃより広い凸部端部の間隔４ｄとすることにより、スリーブ部３のフランジ部３ａが外壁１ｅと当接する位置までスリーブ部３を挿入したときに、スリーブ部３の凸部３ｂと第二フランジ４の凸部４ａが係合する際に互いが接触する位置にあっても、端部の間隔を広くすることにより形成される凸部の端面４ｅが凸部のガイドとなってスリーブ部３の凸部３ｂを係合位置まで誘導することにより、スムーズに係合するため作業がし易くなることで施工性を向上することができる。
【００３０】
また、スリーブ部および第二フランジを樹脂製とすることにより、スリーブ部３を壁１の厚みに合わせる場合に容易に切断ができ、換気スリーブ２を軽量化できることから設置も簡単に行え、施工性を向上することができる。
【産業上の利用可能性】
【００３１】
本発明にかかる換気スリーブは、配線用やエアコン用など壁を貫通するスリーブにも適用できる。
【符号の説明】
【００３２】
１    壁
１ａ  内壁
１ｂ  防湿シート
１ｃ  断熱パネル
１ｄ  胴縁
１ｅ  外壁
２    換気スリーブ
３    スリーブ部
３ａ  フランジ部
３ｂ  凸部
４    第二フランジ
４ａ  凸部
４ｂ  位置決め構造
４ｃ  凸部の間隔
４ｄ  凸部端部の間隔
４ｅ  凸部の端面
４ｆ  筒部
４Ｌ  リブ
５    気密テープ
６    防水パッキン
【図１】
2012102964.tif 000003
【図２】
2012102964.tif 000004
【図３】
2012102964.tif 000005
【図４】
2012102964.tif 000006
【図５】
2012102964.tif 000007
【図６】
2012102964.tif 000008
【図７】
2012102964.tif 000009
【図８】
2012102964.tif 000010
【図９】
2012102964.tif 000011